【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
移動局と、パケット交換局と、前記移動局の位置管理を行う複数の位置登録装置とを含む移動体通信システムであって、
前記移動局に対して、前記複数の位置登録装置の中から、一の位置登録装置が既に選択されたのち、
前記移動局は位置登録する際に、前記パケット交換局に対して、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）に含まれるＮＲＩ（Ｎｅｔｗｏｒｋ  Ｒｅｓｏｕｒｃｅ  Ｉｄｅｎｔｉｆｉｅｒ）を送信し、
前記パケット交換局は、前記ＮＲＩに基づいて、前記一の位置登録装置に対して位置登録を要求する移動体通信システム。
【請求項２】
パケット交換局と、移動局の位置管理を行う複数の位置登録装置とを含む移動体通信システムで用いられる移動局であって、
前記移動局に対して、前記複数の位置登録装置の中から、一の位置登録装置が既に選択されたのち、
パケットネットワーク側で位置登録する際に、前記パケット交換局に対して、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）に含まれるＮＲＩ（Ｎｅｔｗｏｒｋ  Ｒｅｓｏｕｒｃｅ  Ｉｄｅｎｔｉｆｉｅｒ）を送信する移動局。
【請求項３】
移動局と、移動局の位置管理を行う複数の位置登録装置とを含む移動体通信システムに用いられるパケット交換局であって、
前記移動局に対して、前記複数の位置登録装置の中から、一の位置登録装置が既に選択されたのち、
前記移動局がパケットネットワーク側で位置登録する際に前記移動局から受信した、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）に含まれるＮＲＩ（Ｎｅｔｗｏｒｋ  Ｒｅｓｏｕｒｃｅ  Ｉｄｅｎｔｉｆｉｅｒ）に基づいて、前記一の位置登録装置に対して位置登録を要求するパケット交換局。
【請求項４】
移動局と、パケット交換局と、移動局の位置管理を行う複数の位置登録装置とからなる移動体通信システムに含まれる位置登録装置であって、
前記移動局に対して、前記複数の位置登録装置の中から、前記位置登録装置が既に選択されたのち、
前記移動局がパケットネットワーク側で位置登録する際に送信した、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）に含まれるＮＲＩ（Ｎｅｔｗｏｒｋ  Ｒｅｓｏｕｒｃｅ  Ｉｄｅｎｔｉｆｉｅｒ）に基づく、前記パケット交換局からの位置登録要求を受理する位置登録装置。
【請求項５】
移動局と、パケット交換局と、前記移動局の位置管理を行う複数の位置登録装置とを含む移動体通信システムにおける移動局の位置登録方法であって、
前記移動局に対して、前記複数の位置登録装置の中から、一の位置登録装置を選択するステップと、
前記移動局が位置登録する際に、前記パケット交換局に対して、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）に含まれるＮＲＩ（Ｎｅｔｗｏｒｋ  Ｒｅｓｏｕｒｃｅ  Ｉｄｅｎｔｉｆｉｅｒ）を送信するステップと、
前記パケット交換局が、前記ＮＲＩに基づいて、前記一の位置登録装置に対して位置登録を要求するステップと、
前記一の位置登録装置が、前記パケット交換局からの位置登録要求を受理するステップと、を含む移動局の位置登録方法。
【手続補正２】
【補正対象書類名】明細書
【補正対象項目名】００１４
【補正方法】変更
【補正の内容】
【００１４】
本発明の第１の視点によれば、移動局と、パケット交換局と、前記移動局の位置管理を行う複数の位置登録装置とを含む移動体通信システムであって、前記移動局に対して、前記複数の位置登録装置の中から、一の位置登録装置が既に選択されたのち、前記移動局は位置登録する際に、前記パケット交換局に対して、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）に含まれるＮＲＩ（Ｎｅｔｗｏｒｋ  Ｒｅｓｏｕｒｃｅ  Ｉｄｅｎｔｉｆｉｅｒ）を送信し、前記パケット交換局は、前記ＮＲＩに基づいて、前記一の位置登録装置に対して位置登録を要求する移動体通信システムが提供される。
【手続補正３】
【補正対象書類名】明細書
【補正対象項目名】００１５
【補正方法】変更
【補正の内容】
【００１５】
本発明の第２の視点によれば、パケット交換局と、移動局の位置管理を行う複数の位置登録装置とを含む移動体通信システムで用いられる移動局であって、前記移動局に対して、前記複数の位置登録装置の中から、一の位置登録装置が既に選択されたのち、パケットネットワーク側で位置登録する際に、前記パケット交換局に対して、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）に含まれるＮＲＩ（Ｎｅｔｗｏｒｋ  Ｒｅｓｏｕｒｃｅ  Ｉｄｅｎｔｉｆｉｅｒ）を送信する移動局が提供される。
【手続補正４】
【補正対象書類名】明細書
【補正対象項目名】００１６
【補正方法】変更
【補正の内容】
【００１６】
本発明の第３の視点によれば、移動局と、移動局の位置管理を行う複数の位置登録装置とを含む移動体通信システムに用いられるパケット交換局であって、前記移動局に対して、前記複数の位置登録装置の中から、一の位置登録装置が既に選択されたのち、前記移動局がパケットネットワーク側で位置登録する際に前記移動局から受信した、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）に含まれるＮＲＩ（Ｎｅｔｗｏｒｋ  Ｒｅｓｏｕｒｃｅ  Ｉｄｅｎｔｉｆｉｅｒ）に基づいて、前記一の位置登録装置に対して位置登録を要求するパケット交換局が提供される。
【手続補正５】
【補正対象書類名】明細書
【補正対象項目名】００１７
【補正方法】変更
【補正の内容】
【００１７】
本発明の第４の視点によれば、移動局と、パケット交換局と、移動局の位置管理を行う複数の位置登録装置とからなる移動体通信システムに含まれる位置登録装置であって、
前記移動局に対して、前記複数の位置登録装置の中から、前記位置登録装置が既に選択されたのち、前記移動局がパケットネットワーク側で位置登録する際に送信した、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）に含まれるＮＲＩ（Ｎｅｔｗｏｒｋ  Ｒｅｓｏｕｒｃｅ  Ｉｄｅｎｔｉｆｉｅｒ）に基づく、前記パケット交換局からの位置登録要求を受理する位置登録装置が提供される。
本発明の第５の視点によれば、移動局と、パケット交換局と、前記移動局の位置管理を行う複数の位置登録装置とを含む移動体通信システムにおける移動局の位置登録方法であって、前記移動局に対して、前記複数の位置登録装置の中から、一の位置登録装置を選択するステップと、前記移動局が位置登録する際に、前記パケット交換局に対して、ＴＭＳＩ（Ｔｅｍｐｏｒａｒｙ  Ｍｏｂｉｌｅ  Ｓｔａｔｉｏｎ  Ｉｄｅｎｔｉｆｉｅｒ）に含まれるＮＲＩ（Ｎｅｔｗｏｒｋ  Ｒｅｓｏｕｒｃｅ  Ｉｄｅｎｔｉｆｉｅｒ）を送信するステップと、前記パケット交換局が、前記ＮＲＩに基づいて、前記一の位置登録装置に対して位置登録を要求するステップと、前記一の位置登録装置が、前記パケット交換局からの位置登録要求を受理するステップと、を含む移動局の位置登録方法が提供される。本方法は、上述した位置登録装置、第１、第２のパケット交換局および移動局という、特定の機械に結びつけられている。